(57)【要約】【課題】  人体の総合的な健康を測定者に負担をかけることなく、より正確・より迅速に計測ができ、その計測結果が測定者とって、より分かりやすい、携帯性の優れた装置を提供する。【解決手段】  前記課題を解決するために本発明の装置は、手部電極センサー１から人体の電流値を感知及び電極間に微弱電流を通して刺激し、その電極間の生体ポテンシャルとして変換する。その変換した生体ポテンシャルから人体のストレス、心拍を演算し、その演算結果と対応について判りやすくＬＥＤ及び小型ＬＣＤ部２に表示させ、計測結果（測定者の総合的な健康度を健康度数とし、また測定者に結果を踏まえて今後のアドバイス・コメントを知らせる）をプリンター部５で印刷させることができるものとした。【選択図】      図１
2007061132.tif 000002
【特許請求の範囲】
【請求項１】
プログラムされたコンピュータによって人体の総合的な健康度を計測する小型装置であって、小型ＢＯＸの左右に手部電極センサー１と、計測結果の表示等をするＬＥＤ及び小型ＬＣＤ部２と、制御・演算・記憶・接続部３と、操作スイッチ４と、計測結果を印刷するプリンター部５を組込み・収納して構成する人体の総合的な健康度を計測する小型の装置。
【請求項２】
プログラムされたコンピュータによって人体の総合的な健康度を計測する小型装置であって、手部電極センサー１を両手で持って接触する手段と、該手部電極センサー１から人体の電流値を感知及び電極間に微弱電流を通して刺激する手段と、その電極間の生体ポテンシャルとして変換する手段と、その変換した生体ポテンシャルから人体のストレス、心拍を演算する手段と、その演算結果と対応について判りやすくＬＥＤ及び小型ＬＣＤ部２に表示する手段と、計測結果（測定者の総合的な健康度を健康度数とし、また測定者に結果を踏まえて今後のアドバイス・コメントを知らせる）をプリンター部５で印刷する手段とを備えたことを特徴とする人体の総合的な健康度を計測する装置。
【請求項３】
プログラムされたコンピュータによって人体の総合的な健康度を計測する小型装置であって、手部電極センサー１を両手で持って接触する工程と、該手部電極センサー１から人体の電流値を感知及び電極間に微弱電流を通して刺激する工程と、その電極間の生体ポテンシャルとして変換する工程と、その変換した生体ポテンシャルから人体のストレス、心拍を演算する工程と、その演算結果と対応について判りやすくＬＥＤ及び小型ＬＣＤ部２に表示する工程と、計測結果（測定者の総合的な健康度を健康度数とし、また測定者に結果を踏まえて今後のアドバイス・コメントを知らせる）をプリンター部５で印刷する工程とを備えたことを特徴とする人体の総合的な健康度を計測する方法。
【請求項４】
プログラムされたコンピュータによって人体の総合的な健康度を計測するための計測プログラムを記録した記録媒体であって、手部電極センサー１から人体の電流値を感知及び電極間に微弱電流を通して刺激し、その電極間の生体ポテンシャルとして変換する。その変換した生体ポテンシャルから人体のストレス、心拍を演算し、その演算結果と対応について判りやすくＬＥＤ及び小型ＬＣＤ部２に表示させ、計測結果（測定者の総合的な健康度を健康度数とし、また測定者に結果を踏まえて今後のアドバイス・コメントを知らせる）をプリンター部５で印刷させることを特徴とする人体の総合的な健康度を計測するプログラムを記録した記録媒体。
【請求項５】
請求項１、請求項２記載の装置は、制御・演算・記憶・接続部３に頭部電極センサー及び足部電極センサーの接続ケーブルを差し込むことで、体全体の計測をすることができることを特徴とする人体の総合的な健康度を計測する装置。
【請求項６】
請求項３記載の方法は、制御・演算・記憶・接続部３に頭部電極センサー及び足部電極センサーの接続ケーブルを差し込むことで、体全体の計測をすることができることを特徴とする人体の総合的な健康度を計測する方法。
【請求項７】
請求項４記載の記録媒体は、制御・演算・記憶・接続部３に頭部電極センサー及び足部電極センサーの接続ケーブルを差し込むことで、体全体の計測をすることができることを特徴とする人体の総合的な健康度を計測するプログラムを記録した記録媒体。
【請求項８】
請求項１、請求項２、請求項５記載の装置は、手部電極センサー１、ＬＥＤ及び小型ＬＣＤ部２、制御・演算・記憶・接続部３、操作スイッチ４、プリンター５が小型ＢＯＸの中に組み込み、一体化され、手のひらサイズの大きさになっており、測定者が自由に持ち運びできることを特徴とする人体の総合的な健康度を計測する装置。
【発明の詳細な説明】
【技術分野】
【０００１】
本発明は、プログラムされたコンピュータによって人体の総合的な健康度を計測する小型の装置に関するものである。
【背景技術】
【０００２】
近年、リストラの不安、年棒制度など成果主義の導入、終身雇用制度の崩壊など、雇用環境の急激な変化は、労働者のストレスを増幅させている。労働者の約７０％が強い不安・悩み・ストレスがある状況の中で、効果的な対策を講じる必要が発生する。また、慢性疲労症候群の患者数は、全国でおよそ２２万人、予備軍と呼ばれる人は２４０万人と推測されている。このためにも生体のストレスを正確且つ迅速に計測できる、また総合的に健康が計測できる装置の商品化が市場で強く望まれている。
【０００３】
従来、人体のストレスを計測する装置として、一酸化窒素合成酵素活性を測定し、その測定値を指標とした方法（特開平０８−２６２０２５）、微小振動を手の指先など人体の末端部で測定し、この測定値からストレス度を測定する装置（特開平０９−１１７４４０）は、人体の指先等の末梢部である皮膚温度の低下量を測定し、この低下量をもってストレス度の評価値とする装置（特開平０８−２５２２２６）、電極間に微弱な電流を流して皮膚の見かけ上の抵抗変化を調べる装置（特開平２００３−１９１２２、特開平２００５−０２１４１４）なども開示されている。その他の技術として、血管変動解析を用いたもの（血圧）、脳波を血流の容積変動として捉えるもの（脳波）、瞳孔検査や瞬き計測するもの（眼球運動）などがある。尚、電極間に微弱な電流を流して皮膚の見かけ上の抵抗変化を調べる装置の原理は、１９８０年代に論文発表が数多く発表されている。本発明者は、総合的にストレス、心拍、問診等によって健康度合を計測する装置を出願している（特願２００５−２４３８７５）。
【非特許文献１】金井寛、臨床検査ｖｏｌ．２６、ｎｏ．４、１９８２年４月
【非特許文献２】William A. Tiller, American Journal of Acupuncture, Vol.15, No1, January-March 1987
【発明の開示】
【発明が解決しようとする課題】
【０００４】
人体のストレスは、一般的に特徴的な症状として発生することが少なく、発生の症状の形態も多様なことが多く、極めて難しい分野である。これはストレスが発生する要因が多種多様なものであり、該要因が複雑に絡み合って複合して発生しているものと考えられる。また、１パラメータだけの計測では症状を正確に把握することは極めて困難である。
【０００５】
測定者にとって、従来の装置によってストレスを計測し、その結果を心理学的に説明されても、この説明自体が難しく理解できず、逆にストレスを受け蓄積されることがある。また、末梢部位の皮膚温度は環境状態に影響され易く、分析等を実施する方法については、比較的大きな測定システムを必要とする。
【０００６】
本発明は、前記従来の技術の課題に鑑みなされたものであり、その目的はストレスに限定せず、人体の総合的な健康を測定者に負担をかけることなく、より正確・より迅速に計測ができ、その計測結果が測定者とって、より分かりやすい装置を提供することにある。また、従来の装置は大型もしくは中型であり、主に業者向けで一般の人向けではなかった。特にストレス測定に限れば、一般の人が携帯することができる大きさ、価格のものがなかった。
【課題を解決するための手段】
【０００７】
ストレスは心の病でもあり、無意識のうちに蓄積される。その他として、心拍、体重、身長等からは、総合的な健康を計測することができる。従って、簡易、正確且つ迅速に健康状態を計測できれば、総合的なメンタルヘルスケアなどを施すことも可能となり、身体的・精神的な病の予防に対して有効な対策を講じることが可能となる。
【０００８】
前記目的を達成するために本発明の装置は、手部電極センサー１から人体の電流値を感知及び電極間に微弱電流を通して刺激し、その電極間の生体ポテンシャルとして変換する。その変換した生体ポテンシャルから人体のストレス、心拍を演算し、その演算結果と対応について判りやすくＬＥＤ及び小型ＬＣＤ部２に表示させ、計測結果（測定者の総合的な健康度を健康度数とし、また測定者に結果を踏まえて今後のアドバイス・コメントを知らせる）をプリンター部５で印刷させることができる装置とした。従来の装置に比べて、より分かりやすい装置とし、普段でも持ち運びが可能である大きさとすることで、一般の人でも日ごろの自分のストレスを、より正確・より迅速に計測ができるようになる。
【０００９】
制御・演算・記憶・接続部３に頭部電極センサー及び足部電極センサーの接続ケーブルを差し込むことで、体全体の計測をすることもできる。
【発明の効果】
【００１０】
本発明の総合健康測定器は上述の手段を講じることで、以下に記載されるような効果を奏する。
【００１１】
本発明の装置により、専門家でなく素人（一般の人）にも簡単に人体のストレス、心拍等を計測することができるので、測定者の総合的な健康管理の指標として用いることができる。
【００１２】
装置を手のひらサイズにすることにより、いつでもどこでも測定が可能となり、各自が健康の管理を簡単にできるようになる。
【００１３】
装置の操作方法、計測中、計測後の結果が判りやすいＬＥＤ及び小型ＬＣＤ部によって、測定者の総合的な健康度を健康度数として分かり易く表示させ、測定者に計測結果を踏まえた上で、今後のアドバイス・コメントも印刷させることができ、従来の装置に比べて、より分かりやすい装置となった。
【００１４】
電極間の電流値を感知及び電極間に微弱電流を通して刺激し、その電極間の生体ポテンシャルとして計測することで、従来の装置よりも総合的に健康度を計測でき、経済性も優れたものとなる。さらに、携帯性も飛躍的にすぐれたものとなる。
【発明を実施するための最良の形態】
【００１５】
本発明のストレス計測装置を図面に基づき具体的に説明する。図1、図２は本発明の装置を示したものである。１は手部電極センサー、２はＬＥＤ及び小型ＬＣＤ部、３は制御・演算・記憶・接続部、４は操作スイッチ、５はプリンターである。
【００１６】
前記電極センサーの間（胸部）の領域のストレス、心拍状態の計測を行い、総合的に健康度を表示・印刷する。
【実施例】
【００１７】
スタートボタンを押す。次いで、直ちに手部電極センサーを手で掴み接触させる。まず初めに２個の前記電極センサー間のキャリブレーションを開始する。
【００１８】
前記電極間の電流値を感知し、その生体ポテンシャルから心拍を計測する。次いで、前記電極間に微弱電流を与え、その該電極間の生体ポテンシャルとして変換させ、生体のストレス、心拍を計測し、各種健康パラメータを算出する。
【００１９】
前記電極センサーから得られる生体ポテンシャルは、制御・演算・記憶・接続部に取り込まれる。次いで、測定者の総合的な健康度を健康度数として表示させ、測定者には結果を踏まえた上で、今後のアドバイス・コメントを印刷させ、従来の装置に比べて、より分かりやすい装置とした。
【００２０】
ＬＥＤ及び小型ＬＣＤ部２に表示された結果とアドバイス・コメント等をプリンター５により、印刷することができ、さらに、制御・演算・記憶・接続部３を通して記録媒体に保存することもできる。得られた個人データは、前記制御・演算・記憶・接続部に接続することで、過去に計測された結果データを別のパソコンによって整理・処理することもできる。
【００２１】
制御・演算・記憶・接続部３に頭部電極センサー及び足部電極センサーの接続ケーブルを差し込むことで、体全体の計測をすることもできる。
【図面の簡単な説明】
【００２２】
【図１】本発明の装置の正面図（ＬＥＤタイプ）である。
【図２】本発明の装置の正面図（小型ＬＣＤタイプ）である。
【符号の説明】
【００２３】
１  手部電極センサー
２  ＬＥＤ及び小型ＬＣＤ部
３  制御・演算・記憶・接続部
４  操作スイッチ
５  プリンター
【図１】
2007061132.tif 000003
【図２】
2007061132.tif 000004